【手続補正書】
【提出日】平成15年12月8日(2003.12.8)
【手続補正１】
【補正対象書類名】明細書
【補正対象項目名】発明の名称
【補正方法】変更
【補正の内容】
【発明の名称】画像処理装置及び画像処理方法


【手続補正２】
【補正対象書類名】明細書
【補正対象項目名】特許請求の範囲
【補正方法】変更
【補正の内容】
【特許請求の範囲】
【請求項１】
コード化された画像データを入力する画像入力手段と、
前記画像入力手段で入力された画像データをビットマップ画像に変換する変換手段と、
前記変換手段で変換された画像データを記憶する記憶手段と、
前記画像入力手段で入力された画像データを特定するための符号を入力する符号入力手段と、
前記記憶手段に記憶された画像データを出力する出力手段と、
前記符号入力手段で符号が入力された後に、前記記憶手段に記憶されている画像データを前記出力手段により出力させるよう制御する制御手段とを有することを特徴とする画像処理装置。
【請求項２】
前記記憶手段は画像データと対応付けて符号を記憶し、前記制御手段は、前記記憶手段に記憶されている符号と前記符号入力手段で入力された符号とが一致していると判断した場合に、この符号と対応付けられている画像データを前記出力手段により出力させるよう制御することを特徴とする請求項１に記載の画像処理装置。
【請求項３】
更に、前記画像入力手段で入力した画像データを、前記記憶手段にコードデータとして記憶するか、前記変換手段でビットマップ画像に変換した後記憶するかを選択する選択手段を有することを特徴とする請求項１，２のいずれかに記載の画像処理装置。
【請求項４】
前記選択手段でコードデータとして記憶するよう選択した場合、前記制御手段は、前記符号入力手段で符号が入力された後に前記変換手段でビットマップ画像に変換させて画像データを前記出力手段により出力させることを特徴とする請求項３に記載の画像処理装置。
【請求項５】
前記選択手段は、前記記憶手段の空き容量に応じて選択することを特徴とする請求項３，４のいずれかに記載の画像処理装置。
【請求項６】
コード化された画像データを入力する画像入力工程と、
前記画像入力工程で入力された画像データをビットマップ画像に変換する変換工程と、
前記変換工程で変換された画像データを記憶媒体に記憶する記憶工程と、
前記画像入力工程で入力された画像データを特定するための符号を入力する符号入力工程と、
前記符号入力工程で符号が入力された後に、前記記憶工程で記憶した画像データを出力させる出力工程とを有することを特徴とする画像処理方法。
【請求項７】
前記記憶工程は、画像データと対応付けて符号を記憶し、前記出力工程は、前記記憶工程で記憶した符号と前記符号入力工程で入力された符号とが一致していると判断した場合に、この符号と対応付けられている画像データを出力させることを特徴とする請求項６に記載の画像処理方法。
【請求項８】
更に、前記画像入力工程で入力した画像データを、前記記憶媒体にコードデータとして記憶するか、前記変換工程でビットマップ画像に変換した後記憶するかを選択する選択工程を有することを特徴とする請求項６，７のいずれかに記載の画像処理方法。
【請求項９】
前記選択工程でコードデータとして記憶するよう選択した場合、前記出力工程では、前記符号入力工程で符号が入力された後に前記変換工程でビットマップ画像に変換させて画像データを出力させることを特徴とする請求項８に記載の画像処理方法。
【請求項１０】
前記選択工程は、前記記憶媒体の空き容量に応じて選択することを特徴とする請求項８，９のいずれかに記載の画像処理方法。
【手続補正３】
【補正対象書類名】明細書
【補正対象項目名】０００１
【補正方法】変更
【補正の内容】
【０００１】
【発明の属する技術分野】
本発明は，ＬＡＮ等のネットワークに接続される画像処理装置、及び画像処理方法に関するものである。


【手続補正４】
【補正対象書類名】明細書
【補正対象項目名】００１１
【補正方法】変更
【補正の内容】
【００１１】
【課題を解決するための手段】
上記目的を達成するため、本発明では、画像処理装置を次ぎの（１）〜（５）のとおりに構成し，画像処理方法を次ぎの（６）〜（１０）のとおりに構成する。
（１）コード化された画像データを入力する画像入力手段と、
前記画像入力手段で入力された画像データをビットマップ画像に変換する変換手段と、
前記変換手段で変換された画像データを記憶する記憶手段と、
前記画像入力手段で入力された画像データを特定するための符号を入力する符号入力手段と、
前記記憶手段に記憶された画像データを出力する出力手段と、
前記符号入力手段で符号が入力された後に、前記記憶手段に記憶されている画像データを前記出力手段により出力させるよう制御する制御手段とを有する画像処理装置。
（２）前記記憶手段は画像データと対応付けて符号を記憶し、前記制御手段は、前記記憶手段に記憶されている符号と前記符号入力手段で入力された符号とが一致していると判断した場合に、この符号と対応付けられている画像データを前記出力手段により出力させるよう制御する前記（１）に記載の画像処理装置。
（３）更に、前記画像入力手段で入力した画像データを、前記記憶手段にコードデータとして記憶するか、前記変換手段でビットマップ画像に変換した後記憶するかを選択する選択手段を有する前記（１），（２）のいずれかに記載の画像処理装置。
（４）前記選択手段でコードデータとして記憶するよう選択した場合、前記制御手段は、前記符号入力手段で符号が入力された後に前記変換手段でビットマップ画像に変換させて画像データを前記出力手段により出力させる前記（３）に記載の画像処理装置。
（５）前記選択手段は、前記記憶手段の空き容量に応じて選択する前記（３），（４）のいずれかに記載の画像処理装置。
（６）コード化された画像データを入力する画像入力工程と、
前記画像入力工程で入力された画像データをビットマップ画像に変換する変換工程と、
前記変換工程で変換された画像データを記憶媒体に記憶する記憶工程と、
前記画像入力工程で入力された画像データを特定するための符号を入力する符号入力工程と、
前記符号入力工程で符号が入力された後に、前記記憶工程で記憶した画像データを出力させる出力工程とを有する画像処理方法。
（７）前記記憶工程は、画像データと対応付けて符号を記憶し、前記出力工程は、前記記憶工程で記憶した符号と前記符号入力工程で入力された符号とが一致していると判断した場合に、この符号と対応付けられている画像データを出力させる前記（６）に記載の画像処理方法。
（８）更に、前記画像入力工程で入力した画像データを、前記記憶媒体にコードデータとして記憶するか、前記変換工程でビットマップ画像に変換した後記憶するかを選択する選択工程を有する前記（６），（７）のいずれかに記載の画像処理方法。
（９）前記選択工程でコードデータとして記憶するよう選択した場合、前記出力工程では、前記符号入力工程で符号が入力された後に前記変換工程でビットマップ画像に変換させて画像データを出力させる前記（８）に記載の画像処理方法。
（１０）前記選択工程は、前記記憶媒体の空き容量に応じて選択する前記（８），（９）のいずれかに記載の画像処理方法。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】０１２９
【補正方法】削除
【補正の内容】
【手続補正８】
【補正対象書類名】明細書
【補正対象項目名】０１３０
【補正方法】変更
【補正の内容】
【０１３０】
【発明の効果】
以上説明したように、本発明によれば、入力された画像データを特定するための符号を入力した後に画像データを出力することにより、容易に出力画像の機密保護及び画像出力を所望のタイミングとすることができる。